(57)【要約】      （修正有）【課題】ベルト先端余長部の処理が十分に行われていない場合に、腰部より突出した余長部が作業中に構築物等に引っかけたり、工事中の部材に挾まったりし、高所において非常に危険な状況が発生することのない連結式バックルを備えた安全帯を提供する。【解決手段】安全帯用胴ベルト６の一端をソケット部２の基端部21のベルト挿通孔22に挿通し、所定長さ折り返して重合し、その重合部を縫着61して設け、他端をタング部３の基端部31に設けた長さ調節部４のベルト挿通孔42内側より挿通し、外側に出たベルトを締着板41を越して再び内側に挿通し、連結式バックル１を連結した際には、胴ベルト先端余長部62が安全帯内側に配置する構造。【選択図】図１
0003106075.tif 000002
【実用新案登録請求の範囲】
【請求項１】
胴ベルト６の一端をソケット部２の基端部21に設けたベルト挿通孔22に挿通し、所定長さ折り返して重合し、その重合部を縫着61し、他端をタング部３の基端部31に設けた長さ調節部４のベルト挿通孔42内側より挿通し、外側に出たベルトを締着板41を越して再び内側に挿通し、連結式バックル１を連結した際には、胴ベルト先端余長部62が安全帯内側に配置することを特徴とする連結式バックルを備えた安全帯。
【請求項２】
胴ベルト６の一端をタング部３の基端部31に設けたベルト挿通孔32に挿通し、所定長さ折り返して重合し、その重合部を縫着61し、他端をソケット部２の基端部21に設けた長さ調節部４のベルト挿通孔42内側より挿通し、外側に出たベルトを締着板41を越して再び内側に挿通し、連結式バックル１を連結した際には、胴ベルト先端余長部62が安全帯内側に配置することを特徴とする連結式バックルを備えた安全帯。
【考案の詳細な説明】
【技術分野】
【０００１】
本願は高所作業に使用する安全帯に係るものであり、特には連結式バックルを備えた安全帯のバックル締着時における胴ベルト先端余長処理に関するものである。
【背景技術】
【０００２】
従来品の一例として、実用新案登録第３０３７０３４号の図７に示されているように、ソケット部側を縫合連結し、タング部側は長さ調節具に挿通されて、先端余長部は外側に来るように配置されている。
上記のものは、一般高所作業用安全帯と言われるもので、図示されていないが、フックの収納袋・工具吊ケース等をベルトに挿通し、主に建設関係で使用されているものである。
上記の安全帯とは、逆にタング部側を縫合連結し、ソケット部側に長さ調節具を設けたものもあるが、どちらもベルト先端余長部は外側に来るように配置されているものであった。
ワンタッチで連結できる連結式バックルとベルトの連結は、一端にソケット部、他端にタング部を設けるのであるが、一方は折り返して重合し、その重合部を縫製し、他方はベルト長さ調節具を介して取り付け、作業者の腰回りに合う長さに調節して使用するものであり、一度長さを調節しておけば度々調節し直しすることがないので、装着も簡単であり、金具によるベルトの摩耗が少なく、長期使用が可能なものである。
【０００３】
図７は、従来品の連結式バックルを備えた安全帯の一般的な柱上安全帯と言われるもので、前記の細幅の胴ベルト６と、係止リング８を設けた幅広の補助ベルト７と、ロープの一端にフックを設け、中間部にロープ伸縮調節器を設けたランヤード９より成るものである。
【特許文献１】実用新案登録第３０３７０３４号公報
【考案の開示】
【考案が解決しようとする課題】
【０００４】
上記のような胴ベルト６と補助ベルト７を重ねた柱上安全帯の場合は、胴ベルト６の長さを長さ調節環５によって調節した後、作業者の腰部に回し、ワンタッチの連結式バックル１を連結することで装着することができるが、この時、胴ベルトの先端余長部がＤ形状の係止リング際にくる。
よって、ランヤード９のロープ伸縮調節器の連結フックを左側の角状の係止リング８に連結し、コンクリート柱等にランヤードを回し、先端のフックを右側のＤ形状の係止リング８に係止するにあたり、フックの係止に邪魔になったり、フックの鉤部に挟まって係止が不完全で危険な思いをすることがあった。
また、係止リングより離して突出した状態にすると、作業中に引っかけたり、工事中の部材に挟まったりすることにより、高所作業においては非常に危険な状況が発生することがあった。
【課題を解決するための手段】
【０００５】
本願ではこのような事態を解決すべく、バックル締着後の胴ベルト先端余長部を安全帯ベルト外側に出さないことで解決を図るものである。
その構成としては、タング部またはソケット部に長さ調節部を設け、ベルトの挿通方法を変更し、ベルト内側に向け余長端を配置することで、外側へ余長が出ない構成とし、課題を解決するものである。
【考案の効果】
【０００６】
以上のように本願を採用することにより、安全帯の装着時において胴ベルトの先端余長部の処理がうまくできずに腰部で揺れて不愉快な思いをしたり、工事中の部材に引っかけて直接事故につながることも起らない。また、係止リングへのフックの係止状態が不完全になるようなことも起らない。
【実施例】
【０００７】
本願の実施例を詳記すると、
本願の第１実施例は、安全帯の胴ベルト６の一端をソケット部２の基端部21に設けたベルト挿通孔22に挿通し、所定長さ折り返して重合し、その重合部を縫着61して設け、他端をタング部３の基端部31に設けた長さ調節部４のベルト挿通孔42内側より挿通し、外側に出たベルトを締着板41を越して再び内側に挿通し、連結式バックル１を連結した際には、胴ベルト先端余長部62が安全帯内側に配置する構造である。
【０００８】
本願の第２実施例は、安全帯の胴ベルト６の一端をタング部３の基端部31に設けたベルト挿通孔32に挿通し、所定長さ折り返して重合し、その重合部を縫着61して設け、他端をソケット部２の基端部21に設けた長さ調節部４のベルト挿通孔42内側より挿通し、外側に出たベルトを締着板41を越して再び内側に挿通し、連結式バックル１を連結した際には、胴ベルト先端余長部62が安全帯内側に配置する構造である。
【０００９】
長さ調節部４は、基端部31，21にベルト挿通孔42を設け、表側に締着板41を配置し、裏側に摺動板43を配置して重合し、該重合部を固着し、ベルト挿通孔42内へ左右摺動自在に取付けたスライド式のバックルを形成したものである。
長さ調節部４へのベルト挿通は、基端部裏側に配置した摺動板43のベルト挿通孔44より挿通し基端部のベルト挿通孔42へ至り表側（外側）に出たベルトを締着板41を越して再びベルト挿通孔42へ挿通して裏側（内側）へ至るものである。
【００１０】
本願のワンタッチの連結式バックルは、本出願人が特開２００２−３１３で開示したのものであり、詳細については省略するが、この連結式バックルのソケット部２側あるいはタング部３側の基端部にベルト長さ調節部４を設け、ベルト先端余長部62をベルト内側に配置させるものである。
よって、工事中の部材に引っかけて危険な状況が発生することも無く、また、ベルト先端余長部62が、フックの係止を阻害するようなことは無くなるので、安全作業が行えるものである。
【図面の簡単な説明】
【００１１】
【図１】本願第一実施例の連結式バックル部の胴ベルト挿通状態正面図。
【図２】本願第一実施例の連結式バックル部の胴ベルト挿通状態平面図。
【図３】本願第二実施例の連結式バックル部の胴ベルト挿通状態正面図。
【図４】本願第二実施例の連結式バックル部の胴ベルト挿通状態平面図。
【図５】従来品の胴ベルト挿通状態の正面図。
【図６】従来品の胴ベルト挿通状態の平面図。
【図７】従来品の柱上安全帯セット状態正面図。
【符号の説明】
【００１２】
１    連結式バックル
２    ソケット部
３    タング部
４    長さ調節部
５    長さ調節環
６    胴ベルト
７    補助ベルト
８    係止リング
９    ランヤード
21    基端部
22    ベルト挿通孔
31    基端部
32    ベルト挿通孔
41    締着板
42    ベルト挿通孔
43    摺動板
44    ベルト挿通孔
51    ベルト挿通孔
61    縫着
62    ベルト先端余長部
【図１】
0003106075.tif 000003
【図２】
0003106075.tif 000004
【図３】
0003106075.tif 000005
【図４】
0003106075.tif 000006
【図５】
0003106075.tif 000007
【図６】
0003106075.tif 000008
【図７】
0003106075.tif 000009